(57)【要約】【課題】可動ルーバーの引下げ全開時に、換気部の換気性能を積極的に発揮させることができると共に、引上げ全閉時の可動ルーバーを意匠要素として積極的に活用することができる複合建具を提供することを課題とする。【解決手段】屋内側に、窓枠２０の中間枠２４を挟んで換気部４と窓部５とをそれぞれ上下に配設すると共に、屋外側に、換気部４および窓部５に面して上げ下げ可能な可動ルーバー６を配設した複合建具であって、可動ルーバー６のスラット連結体１２は、屋外に向かって開放状態で設けられ、且つ引上げ全閉時に換気部４を隠蔽する。【選択図】  図１
2004346583.tif 000002
【特許請求の範囲】
【請求項１】
屋内側に、窓枠の中間枠を挟んで換気部と窓部とをそれぞれ上下に配設すると共に、屋外側に、前記換気部および前記窓部に面して上げ下げ可能なスラット連結体を有する可動ルーバーを配設した複合建具であって、
前記スラット連結体は、全体が屋外に向かって露出状態で設けられ、且つ引上げ全開時に前記換気部を隠蔽することを特徴とする複合建具。
【請求項２】
前記窓部に対し前記可動ルーバーは、見込み方向に近接して配置されていることを特徴とする請求項１に記載の複合建具。
【請求項３】
前記窓枠の両縦枠には、前記スラット連結体の上げ下げをガイドするガイド部が設けられていることを特徴とする請求項１または２に記載の複合建具。
【請求項４】
前記換気部は、上端部に設けたヒンジを中心に、屋内側に開放される扉体を有していることを特徴とする請求項１、２または３に記載の複合建具。
【請求項５】
前記扉体は、見付け方向に横並び配設した換気用扉体と前記可動ルーバーの点検用扉体とで構成されていることを特徴とする請求項４に記載の複合建具。
【請求項６】
前記換気用扉体および前記点検用扉体は、同一の遮光性材料で構成されていることを特徴とする請求項５に記載の複合建具。
【発明の詳細な説明】
【０００１】
【発明の属する技術分野】
本発明は、採光、遮熱（日除け）、換気、防犯等の様々な機能を有する複合建具に関するものである。
【０００２】
【従来の技術】
この種の従来の複合建具は、屋内側に、窓枠の中間枠を挟んで換気部と窓部とをそれぞれ上下に配設すると共に、屋外側に、換気部および窓部に面して上げ下げ可能な防火用の遮蔽体を配設したものが、知られている（例えば、特許文献１参照）。窓部には、内倒し式の障子が設けられ、換気部にはスライド式の換気口が設けられている。また、遮蔽体は、複数枚の遮蔽板を上げ下げ自在に連結して構成されている。この場合、遮蔽体は、火災時に自動的に閉塞する防火シャッタの機能を有しており、定常状態の引上げ全閉時には、上枠の屋外側に設けた垂下片により窓枠内に隠蔽されるようになっている。
【０００３】
【特許文献１】
実公平６−３３９４３号公報（第２頁、図１および図２）
【０００４】
【発明が解決しようとする課題】
このような、従来の複合建具では、引上げ全閉時の遮蔽体および上枠の垂下片が換気部の正面に位置するため、換気部における換気性能が悪化する問題があった。また、屋外側から見ると、垂下片により上枠が極端に広幅となり、意匠性が損なわれる問題があった。
【０００５】
本発明は、可動ルーバーの引下げ全開時に、換気部の換気性能を積極的に発揮させることができると共に、引上げ全閉時の可動ルーバーを意匠要素として積極的に活用することができる複合建具を提供することをその課題としている。
【０００６】
【課題を解決するための手段】
本発明の複合建具は、屋内側に、窓枠の中間枠を挟んで換気部と窓部とをそれぞれ上下に配設すると共に、屋外側に、換気部および窓部に面して上げ下げ可能なスラット連結体を有する可動ルーバーを配設した複合建具であって、スラット連結体は、全体が屋外に向かって露出状態で設けられ、且つ引上げ全開時に換気部を隠蔽することを特徴とする。
【０００７】
この構成によれば、可動ルーバー（スラット連結体）を全閉した引下げ全閉時には、換気部の正面にスラット連結体の複数のスラットのみが位置するため、換気部の換気性能を十分に発揮させることができる。また、可動ルーバー（スラット連結体）を全開した引上げ全開時には、窓部の正面が開放され、スラット連結体が窓部による採光や換気に邪魔になることがなく、且つスラット連結体が換気部を覆い隠すと共に上枠とは異なる意匠として機能する。
【０００８】
この場合、窓部に対し可動ルーバーは、見込み方向に近接して配置されていることが、好ましい。
【０００９】
この構成によれば、窓枠全体の見付け寸法を、極力狭くすることができる。また、可動ルーバーの引上げ全開時に換気部を開放すると、窓部と可動ルーバーとの狭い間隙により風速が増すため、この場合にも良好な換気を行うことができる。
【００１０】
これらの場合、窓枠の両縦枠には、スラット連結体の上げ下げをガイドするガイド部が設けられていることが、好ましい。
【００１１】
この構成によれば、強風等によりスラット連結体が揺れ或いはばたつくことがなく、且つガイド部を介して、スラット連結体を両縦枠に適切に保持しておくことができる。すなわち、強風等によるスラット連結体の振れを防止することができると共に、これに防犯的機能を持たせることができる。
【００１２】
これらの場合、換気部は、上端部に設けたヒンジを中心に屋内側に開放される扉体で構成されていることが、好ましい。
【００１３】
この構成によれば、換気部の換気面積を大きくとることができると共に、換気部が高い位置にあっても開け閉めに支障を生ずることがない。また、可動ルーバーの各スラットの湾曲形状と相俟って、換気のための微風を効率よく呼び込むことができる。
【００１４】
これらの場合、扉体は、見込み方向に横並び配設した換気用扉体と可動ルーバーの点検用扉体とで構成されていることが、好ましい。
【００１５】
この構成によれば、可動ルーバーの装置部分を点検用扉体により、隠蔽しておくことができると共に、両扉体を横並びに配設することで、屋内側の意匠が損なわれることがない。
【００１６】
この場合、前記換気用扉体および前記点検用扉体は、同一の遮光性材料で構成されていることが、好ましい。
【００１７】
この構成によれば、扉体全体として統一したデザインとなり、屋内側からの意匠性を向上させることができる。
【００１８】
【発明の実施の形態】
以下、添付図面を参照して、本発明の一実施形態に係る複合建具について説明する。図１の屋外側姿図および図２の屋内側姿図は、建物の外壁Ｗに、掃出し窓を主体とする第１複合建具（図１では左側）１と、腰窓を主体とする第２複合建具（図１では右側）２とを形成した場合を表しており、以下、第１複合建具１と第２複合建具２とを、別々に説明する。
【００１９】
図１の左部および図２の右部に示すように、第１複合建具１は、屋内側に換気部４および窓部５を上下に配設すると共に屋外側の全域に可動ルーバー６を配設して、構成されている。換気部４には、屋内側に面して換気用扉体７と可動ルーバー６用の点検用扉体８が設けられている。また、窓部５には、片引き形式の上吊りスライディング障子９とフィクス障子１０とが設けられている。そして、可動ルーバー６は、装置部１１とスラット連結体１２とから成り、スラット連結体１２は、モータ駆動により上げ下げ自在に構成されている。
【００２０】
図１ないし図８に示すように、第１複合建具１は、上枠２１、下枠２２および両縦枠２３，２３を四周枠組みすると共に、上枠２１と下枠２２との間に無目に相当する中間枠２４を組み込んだ窓枠２０を備えている。また、窓枠２０には、中間枠２４と下枠２２との間において、両縦枠２３，２３に平行な中骨２５が組み込まれ、さらに上枠２１と中間枠２４との間において、両縦枠２３，２３に平行な一対の添え束２６，２６および中束２７が組み込まれている（図８参照）。そして、これら窓枠２０の各構成枠材はいずれもアルミニウムの押出し形材等で構成されている。
【００２１】
この場合、中間枠２４の見込み寸法は、他の構成枠（上枠２１、下枠２２および縦枠２３）の見込み寸法のほぼ１／２なっており、屋内側端を他の構成枠と揃えるようにして配設されている。上枠２１、中間枠２４および両縦枠２３，２３で区画された屋内側部分には、両添え束２６，２６および中束２７を受けとして、換気部４を構成する幅広の換気用扉体７および幅狭の点検用扉体８が、見付け方向横並びに装着されている。また、換気用扉体７に面して屋外側には、固定網戸１４が装着され、点検用扉体８に面する部分には、可動ルーバー６の装置部（モーターユニット１５１）１１が配設されている（図７および図１０参照）。
【００２２】
同様に、中間枠２４、下枠２２および両縦枠２３，２３で区画された屋内側部分には、中骨２５を介して、窓部５を構成する幅狭の上吊りスライディング障子９と幅広のフィックス障子１０とが装着されている。屋外側から見て、上吊りスライディング障子９は右側に、フィックス障子１０は左側に配設されており、また上吊りスライディング障子９は見込み方向屋内側に、フィックス障子１０は見込み方向屋外側に配設されている。また、上吊りスライディング障子９の正面には、フィックス障子１０と見付け方向に横並びとなるように可動網戸１５が装着されている。そして、上吊りスライディング障子９は、フィックス障子１０に重なるように片引き形式で開閉される。
【００２３】
一方、上枠２１、下枠２２および両縦枠２３，２３で区画された屋外側部分には、換気部４および窓部５を覆い得るように可動ルーバー６が装着されている。可動ルーバー６の装置部１１は、上枠２１内に収まるように、すなわち隠蔽されるように配設されている。スラット連結体１２は、全体が屋外側に露出すると共に、窓部５を開放する引上げ開放状態（全開）と、窓部５を覆う引下げ閉塞状態（全閉）との間で上げ下げ自在に構成されている。また、引上げ開放状態のスラット連結体１２は、ほぼ中間枠２４の位置まで上昇し、水平姿勢の多数のスラット２９が重なって換気部４を覆うようになっている。
【００２４】
図６に示すように、上枠２１は、方形の上枠中空部３２と、上枠中空部３２から屋外側に延びる庇状片部３３と、庇状片部３３から下垂した下垂片部３４と、上枠中空部３２から下垂した上シール取付片部３５とで一体に形成した上枠本体３１に、屋外側躯体固定片３６および屋内側躯体固定片３７をねじ止めして、構成されている。上シール取付片部３５の屋内側には、換気用扉体７および点検用扉体８の上部が密接するようになっている。また、上シール取付片部３５の屋外側には、これに平行に上枠中空部３２からばね片３８が垂設されており、このばね片３８と上シール取付片部３５との間に、固定網戸１４の上端部が装着されるようになっている。そして、下垂片部３４の下端位置に、スラット連結体１２の最上位のスラット２９が位置すると共に、下垂片部３４の内側には、可動ルーバー６の装置部１１が収容されている。
【００２５】
図３および図４に示すように、中間枠２４は、水切り用の傾斜面を有する中間中空部４２と、中間中空部４２の上側に配設した網戸支持部４３と、中間中空部４２の下側にあって屋外側に配設した固定障子上支持部４４と、中間中空部４２の下側にあって屋内側に配設した可動障子上支持部４５とで一体に形成された中間枠本体４１に、固定障子上支持部４４と可動障子上支持部４５との下部を仕切る仕切りアタッチメント４６を装着して、構成されている。仕切りアタッチメント４６は、固定障子上支持部４４の上下中間部に掛止固定された固定部４８と、固定障子上支持部４４と可動障子上支持部４５とを仕切る仕切り片部４９と、仕切り片部４９から屋内側に水平に延びる内向き水平片部５０とで、一体に形成されている。
【００２６】
網戸支持部４３は、「Ｕ」字状に形成され、固定網戸１４の下端部が装着されるようになっている。また、網戸支持部４３の屋内側には、換気用扉体７および点検用扉体８の下部が密接するようになっている。なお、上記の中間中空部４２には、後述する換気用扉体７を開放するための一対のダンパー１２３，１２３が収容されている。固定障子上支持部４４は、上半部に方形中空部５２を有すると共に、下半部に仕切りアタッチメント４６と共に逆「Ｕ」字状を為す装着部５３が形成されており、この装着部５３にフィックス障子１０および可動網戸１５の上端部が装着されている。
【００２７】
可動障子上支持部４５は、見込み方向の中間に上切欠き部５５を有する第１水平片５６と、仕切りアタッチメント４６の内向き水平片部５０に対峙する外向き水平片部５７とを有している。内向き水平片部５０と外向き水平片部５７との間は、上記の上切欠き部５５とほぼ同幅のスリット開口５８となっており、この内向き水平片部５０と外向き水平片部５７とにより第２水平片５９が構成されている。第１水平片５６の上側には、後述する上吊りスライディング障子９の吊り車１４４が収容される上中空部６０が構成されている。
【００２８】
また、第１水平片５６と第２水平片５９との間には、間隙中空部６１が構成され、この間隙中空部６１には、吊り車１４４から延びる吊設部材（の上ガイドローラ１４６）１４３を案内する摺動ガイド６２が装着されている。この場合、吊り車１４４は、間隙中空部６１に設けた摺動ガイド６２に案内され、第１水平片５６上を転動する。さらに、図示では省略したが、上切欠き部５５、スリット開口５８および摺動ガイド６２は、その延在方向において、閉塞状態における一対の吊り車１４４の位置に対応する部分に、それぞれ屋外側に屈曲する一対の上屈曲部を有しており、上吊りスライディング障子９は、この一対の上屈曲部に案内されて、屋外側に僅かに引き寄せられるようになっている。
【００２９】
なお、詳細は後述するが、第１複合建具１の中間枠２４と第２複合建具２の中間枠２４とは、全く同一の断面形状を有しており、第２複合建具２の中間枠２４では、その可動障子上支持部４５にスウィング障子１７の上端部が装着されるようになっている。すなわち、間隙中空部６１に投入した裏板１６１を補強材として、スウィング障子１７の上ヒンジ部材１７３が第２水平片５９に下側から固定される（図１２参照）。
【００３０】
下枠２２は、水切り用の傾斜面を有する主中空部７２および主中空部７２の屋外側に連なる副中空部７３と、主中空部７２の上側に連なる支持中空部７４と、支持中空部７４の上側にあって屋外側に配設した固定障子下支持部７５と、支持中空部７４の上側にあって屋内側に配設した可動障子下支持部７６とで一体に形成された下枠本体７１に、屋外側躯体固定片７７、屋内側躯体固定片７８および床見切り片７９をねじ止めして、構成されている。
【００３１】
固定障子下支持部７５は、上記の固定障子上支持部４４に対峙しており、水平なベース片部８１と屋外側立設片部８２と屋内側立設片部８３とで、断面「Ｕ」字状に形成されている。そして、固定障子下支持部７５には、フィックス障子１０および可動網戸１５の下端部が装着されている。
【００３２】
可動障子下支持部７６は、上記の可動障子上支持部４５に対峙しており、水平ベース片部８５と、水平ベース片部８５の見込み方向の中間部に形成した下切欠き部８６と、下切欠き部８６を上向き開放部とする断面「Ｃ」字状のあり溝８７とを有している。そして、この下切欠き部８６に、後述する上吊りスライディング障子９のガイド突起（下ガイドローラ１４７）１４５が摺接して、その開閉移動がガイドされるようになっている。また、図５（ｂ）に示すように、下切欠き部８６は、その延在方向において、閉塞状態における一対のガイド突起１４５の位置に対応する部分に、屋外側に屈曲する一対の下屈曲部（戸先側のみ図示）８８を有しており、上吊りスライディング障子９は、この一対の下屈曲部８８に案内されて、屋外側に僅かに引き寄せられるようになっている。
【００３３】
なお、詳細は後述するが、第１複合建具１の下枠２２と第２複合建具２の下枠２２とは、全く同一の断面形状を有しており、第２複合建具２の下枠２２では、その可動障子下支持部７６にスウィング障子１７の下端部が装着されるようになっている。すなわち、あり溝８７に投入した裏板１６２を補強材として、スウィング障子１７の下ヒンジ部材１７４が水平ベース片部８５に上側から固定される（図１２参照）。
【００３４】
このように、可動障子上支持部４５と可動障子下支持部７６とにより、窓部５の上枠として機能する中間枠２４と下枠２２との間において、上吊りスライディング障子９とスウィング障子１７とを互換可能に装着することができるため、ユーザーの好みに応じた窓部５を、容易に構成することができる。また、各障子９，の間口寸法も自在に変更することができる。
【００３５】
図５および図８に示すように、各縦枠２３は、方形の縦枠中空部９２と、縦枠中空部９２から屋外側に延びるスラットガイド部９３と、スラットガイド部９３の屋外側端から内向きに延びる覆い片部９４と、縦枠中空部９２から内向きに延びる屋外側内向き片部９５および屋内側内向き片部９６とで一体に形成した縦枠本体９１に、屋外側躯体固定片９７および屋内側躯体固定片９８をねじ止めして、構成されている。
【００３６】
この場合、屋外側内向き片部９５および屋内側内向き片部９６は、下枠２２と中間枠２４との間にのみ形成され、中間枠２４と上枠２１との間では切り欠かれている。そして、下枠２２と中間枠２４との間において、一方の縦枠２３における屋外側内向き片部９７および屋内側内向き片部９８間には、フィックス障子１０の側端部が装着され、他方の縦枠２３における屋外側内向き片部９７および屋内側内向き片部９８間には、可動網戸１５の戸尻側が装着されている。また、中間枠２４と上枠２１との間において、各縦枠２３の縦枠中空部９２には上記の添え束２６が添設され、両添え束２６，２６の中間にはこれに平行に中束２７が配設されている。そして、一方の添え束２６と中束２７とに固定網戸１４の両側端部が接触している。
【００３７】
スラットガイド部９３には、各スラット２９の角度変更のためのチェーン１５５を収容する一対のチェーン収容部１０１，１０１と、一対のチェーン収容部１０１，１０１の間に位置して、各スラット２９の上げ下げをガイドするガイド溝１０２とが一体に（別体でも可）形成されている。そして、覆い片部９４は、このスラットガイド部９３を隠蔽するように覆っている。
【００３８】
中骨２５は、下枠２２と中間枠２４との間において両縦枠２３，２３に平行に立設されており、方形の中骨中空部１１２と、中骨中空部から延びる屋外側片部１１３とを有する中骨本体１１１に、中骨アタッチメント１１４を添設して、構成されている。中骨アタッチメント１１４には、屋外側片部１１３に平行な屋内側片部１１５が形成され、この屋内側片部１１５と屋外側片部１１３との間に、フィックス障子１０の側端部が装着されている。
【００３９】
図６ないし図８に示すように、換気用扉体７は、屋外側の周縁部を、上枠２１、中間枠２４、一方の添え束２６および中束２７に気密に接触しており（シール材を介在）、この状態から屋内側に開放する。換気用扉体７は、遮光性材料である合成木質材で構成された扉本体１２１と、扉本体１２１の上端部に設けた３個のヒンジ１２２，１２２，１２２と、扉本体１２１の下端部に設けた左右一対のダンパー１２３，１２３と、扉本体１２１の下端部中央に設けたプッシュラッチ１２４とを備えている。プッシュラッチ１２４を押釦すると、各ダンパー１２３の伸張作用により、扉本体１２１がヒンジ１２２を中心に屋内側に開放される。一方、この状態から、ダンパー１２３に抗して扉本体１２１を押すと、プッシュラッチ１２４が中間枠２４に掛止されて扉本体１２１が閉塞する。
【００４０】
同様に、点検用扉体８は、屋外側の周縁部を、上枠２１、中間枠２４、他方の添え束２６および中束２７に気密に接触しており（シール材を介在）、この状態から屋内側に開放する。点検用扉体８は、換気用扉体７の扉本体１２１と同様に合成木質材で構成された扉本体１２６と、扉本体１２６の上端部に設けた２個のヒンジ１２７，１２７と、扉本体１２６の下端部中央に設けたコインロック１２８とを備えている。この場合には、コインロック１２８を操作（ロック・アンロック）して、扉本体１２６を開閉する。
【００４１】
図３および図５に示すように、フィックス障子１０は、断熱および防音を考慮した複層ガラス１３１で構成されており、上端部を中間枠２４の固定障子上支持部４４に、下端部を下枠２２の固定障子下支持部７５に、一方の側端部を一方の縦枠２３に、他方の側端部を中骨２５に、それぞれ気密に装着されている（ガスケットを介在）。図４および図５に示すように、可動網戸１４は、上ガイド枠１３３、下ガイド枠１３４、戸尻枠１３５および戸先枠１３６に、折込み網体１３７を組み込んで構成されており、固定障子上支持部４４、固定障子下支持部７５、他方の縦枠２３および中骨２５に装着されている。すなわち、可動網戸１４は、フィックス障子１０を装着するための各構成枠部を利用して、装着されており、且つ開閉状態を含め、見込み方向においてフィックス障子１０と同位置に収まっている。
【００４２】
図４および図５に示すように、上吊りスライディング障子９は、四周框組みした框体１４１と、これに組み込んだ複層ガラス１４２と、框体１４１の上端から上方に延びる一対の吊設部材１４３と、各吊設部材１４３に回転自在に取り付けた一対の吊り車１４４と、框体１４１の下端から下方に延びる一対のガイド突起１４５とで構成されている（いずれも図示では一方のみ表示）。また、框体１４１の周縁部には、シール部材１４１ａが四辺に渡って設けられ、且つ框体１４１の戸尻側にはハンドル１５０が取り付けられている。そして、閉塞状態のシール部材１４１ａは、中間枠（仕切りアタッチメント４６）２４の仕切り片部４９、下枠２２の屋内側立設片部８３、縦枠２３の屋内側内向き片部９６および中骨２５の屋内側片部１１５に、密接するようになっている。
【００４３】
各吊設部材１４３には上ガイドローラ１４６が回転自在に設けられ、また各ガイド突起１４５には下ガイドローラ１４７が回転自在に設けられている。上吊りスライディング障子９は、中間枠２４に形成した第１水平片５６上を転動する吊り車１４４により、上吊り形式で開閉される。また、その際、上ガイドローラ１４６は中間枠２４の摺動ガイド６２に転接し、下ガイドローラ１４７は下枠２２の下切欠き部８６に転接する。
【００４４】
一方、上述したように、上ガイドローラ１４６が転接する中間枠２４の上切欠き部５５、スリット開口５８および摺動ガイド６２は、上屈曲部を有し、また下ガイドローラ１４７が転接する下枠２２の下切欠き部８６は、下屈曲部８８を有している。また、上吊りスライディング障子９の戸先側には、これを屋外側に引き寄せる傾斜面付きの引寄せ片１３９が上下に設けられており、且つ縦枠２３には、この引寄せ片１３９を受ける引寄せ受け部材１４０が固定されている。このため、上吊りスライディング障子９を閉塞すると、上吊りスライディング障子９は上屈曲部および下屈曲部８８により屋外側に引き寄せられると共に、戸先側を引寄せ片１３９および引寄せ受け部材１４０により不動に位置決めされ、且つ戸尻側をハンドルのロック操作により不動に位置決めされる。これにより、上吊りスライディング障子９のシール部材１４１ａが、中間枠２４、下枠２２、縦枠２３および中骨２５に強く密接して、気密性が維持される。
【００４５】
なお、図９に示すように、上吊りスライディング障子９の框体１４１は、各コーナー部分を角度４５°で接合するようになっており、内部に収容した「Ｌ」字状の補強プレート１４８で接合すると共に、相互の接合端間に樹脂製の接合板１４９を介設するようにしている。接合板１４９は、呑込み段部を有し、接合端を僅かに離隔した状態で接合する。これにより、各コーナー部分の外端が極端に鋭利になるのを防止している。
【００４６】
図６および図１０に示すように、可動ルーバー６は、モーターユニット１５１を有する装置部１１と、装置部１１により上げ下げされるスラット連結体１２とを備えている。スラット連結体１２は、湾曲形状の多数のスラット２９を、片側各一対のリンク１５２，１５２を介して相互連結して構成されている。各スラット２９は、上記の各縦枠２３に形成してガイド溝１０２に上下方向にスライド自在に係合している。すなわち、各スラット２９は、両端部をガイド溝１０２に保持された状態で上下する。
【００４７】
モーターユニット１５１の出力側には、同軸上に設けたスプロケット１５３およびチルトブラケット１５４が、切替クラッチ（図示省略）を介して接続されており、スプロケット１５３には各スラット２９を上げ下げするチェーン１５５が巻回され、チロルブラケット１５４には各スラット２９の角度を可変する一対のチルトリンク１５６，１５６が取り付けられている。チェーン１５５は、回動プレート１５７を介して、スラット連結体１２の最下位のスラット２９に連結されており、スプロケット１５３の正逆回転により、チェーン１５５が上下方向に走行して、スラット連結体１２が上げ下げされるようになっている。また、一対のチルトリンク１５６，１５６は、一対のリンク１５２，１５２に対応するようにスラット連結体１２の最上位のスラット２９に連結されており、チルトブラケット１５４の回動と回動プレート１５７に設けたばね（コイルばね）１５８により、各スラット２９の角度を同時に且つ同角度に可変できるようになっている。
【００４８】
このように構成された第１複合建具１では、可動ルーバー６を引き上げて開放状態とすることで、フィックス障子１０および上吊りスライディング障子９による採光、遮音および気密等の機能が発揮され、上吊りスライディング障子９の開放および換気用扉体７の開放により、換気（通風）等の機能が発揮される。一方、可動ルーバー６を引き下げて閉塞状態とすることで、遮光、遮熱および防犯等の機能が発揮される。また、この状態で可動ルーバー６の各スラット２９を水平姿勢とし、上吊りスライディング障子９の開放および換気用扉体７の開放により、遮光・遮熱状態において換気機能を発揮させることができる。特に、換気用扉体７は下開きで開放されるため、各スラット２９の湾曲形状と相俟って、外気（微風）を屋内に効率良く取り込むことができる。
【００４９】
一方、屋内側から見た第１複合建具１は、窓部５の上側に横並びに配設した換気用扉体７および点検用扉体８が、収納部様に見えるため、屋内意匠が損なわれることがない。また、屋外側から見た第１複合建具１は、引上げ開放状態の可動ルーバー６が、換気用扉体７および点検用扉体８の正面に位置してこれらを隠蔽すると共に、可動ルーバー６自身が屋外側に露出して屋外意匠の一部として機能する。すなわち、可動ルーバー６を第１複合建具１の意匠の一部として積極的に活用することにより、可動ルーバー６を全く違和感のないものとすることができる。
【００５０】
次に、第２複合建具２について第１複合建具１と異なる部分を中心に説明する。図１の右部および図２の左部に示すように、第２複合建具２は、第１複合建具１と同様に、屋内側に換気部４および窓部５を上下に配設すると共に屋外側の全域に可動ルーバー６を配設して、構成されている。換気部４には、屋内側に面して換気用扉体７と、換気用扉体７を挟んで両側に可動ルーバー６用の点検用扉体８，８が一対設けられている。また、窓部５には、フィクス障子１０と、これを挟んで両側に縦辷り出し形式の左右一対のスウィング障子１７，１７とが設けられている。この場合も、可動ルーバー６は、装置部１１とスラット連結体１２とから成り、スラット連結体１２は、モータ駆動により上げ下げ自在に構成されている。
【００５１】
図１１ないし図１５に示すように、第２複合建具２は、上枠２１、下枠２２および両縦枠２３，２３を四周枠組みすると共に、上枠２１と下枠２２との間に無目に相当する中間枠２４を組み込んだ窓枠２０を備えている。また、窓枠２０には、中間枠２４と下枠２２との間において、両縦枠２３，２３に平行な一対の中骨２５，２５が組み込まれ、さらに上枠２１と中間枠２４との間において、両縦枠２３，２３に平行な一対の添え束２６，２６および一対の中束２７，２７が組み込まれている（図１５参照）。そして、これら窓枠２０の各構成枠材は、対応する第１複合建具１の各構成枠材と同一の断面形状を有しており、いずれもアルミニウムの押出し形材等で構成されている。
【００５２】
この場合も、中間枠２４の見込み寸法は、他の構成枠（上枠２１、下枠２２および縦枠２３）の見込み寸法のほぼ１／２なっており、屋内側端を他の構成枠と揃えるようにして配設されている。上枠２１、中間枠２４および両縦枠２３，２３で区画された屋内側部分には、一対の添え束２６，２６および一対の中束２７，２７を受けとして、換気部４を構成する幅広の換気用扉体７および幅狭の一対の点検用扉体８，８が、見付け方向横並びに装着されている。また、第１複合建具１と同様に、換気用扉体７に面して屋外側には、固定網戸１４が設けられ、点検用扉体８に面する部分には、可動ルーバー６の装置部１１等が配設されている（図１４および図１５参照）。
【００５３】
同様に、中間枠２４、下枠２２および両縦枠２３，２３で区画された屋内側部分には、一対の中骨２５，２５を介して、窓部５を構成する幅狭の一対のスウィング障子１７，１７と幅広のフィックス障子１０とが装着されている。この場合、フィックス障子１０の両側にそれぞれスウィング障子１７，１７が配設されており、また一対のスウィング障子１７，１７は見込み方向の屋内側に、フィックス障子１０は見込み方向の屋外側に配設されている。また、各スウィング障子１７の正面には、フィックス障子１０と見付け方向に並ぶように可動網戸１５が設けられている。そして、各スウィング障子１７は、フィックス障子１０側に辷り出すようにして屋内側に開放される。
【００５４】
一方、上枠２１、下枠２２および両縦枠２３，２３で区画された屋外側部分には、換気部４および窓部５を覆い得るように可動ルーバー６が設けられている。可動ルーバー６の装置部１１は、上枠２１内に収まるように、すなわち隠蔽されるように配設されている。スラット連結体１２は、全体が屋外側に露出すると共に、窓部５を開放する引上げ開放状態と、窓部５を覆う引下げ閉塞状態との間で上げ下げ自在に構成されている。また、引上げ開放状態のスラット連結体１２は、ほぼ中間枠２４の位置まで上昇し、水平姿勢の多数のスラット２９が重なって換気部４を覆うようになっている。
【００５５】
図６に示すように、上枠２１は、第１複合建具１の上枠２１と全く同一の断面形状を有している。この場合も、上シール取付片部３５の屋内側には、換気用扉体７および各点検用扉体８の上部が密接し、またばね片３８と上シール取付片部３５との間に、固定網戸１４の上端部が装着されるようになっている。そして、下垂片部３４の下端位置に、スラット連結体１２の最上位のスラット２９が位置すると共に、下垂片部３４の内側には、可動ルーバー６の装置部１１が収容されている。
【００５６】
図１１および図１２に示すように、中間枠２４は、第１複合建具１の中間枠２４と全く同一の断面形状を有している。この場合も、網戸支持部４３には、固定網戸１４の下端部が装着され、また網戸支持部４３の屋内側には、換気用扉体７および各点検用扉体８の下部が密接している。さらに、固定障子上支持部４４の装着部５３には、フィックス障子１０および各可動網戸１５の上端部が装着されている。
【００５７】
可動障子上支持部４５は、上述のように上切欠き部５５を有する第１水平片５６と、仕切りアタッチメント４６の内向き水平片部５０に対峙する外向き水平片部５７とを有しており、スリット開口５８を存して対峙する内向き水平片部５０と外向き水平片部５７とにより第２水平片５９が構成されている。この場合には、第１水平片５６と第２水平片５９との間に、補強材としての裏板１６１が投入され、この裏板１６１に第１水平片５６の下側にあてがったスウィング障子１７の上ヒンジ部材１７３がねじ止めされている。
【００５８】
下枠２２は、第１複合建具１の下枠２２と全く同一の断面形状を有している。この場合も、固定障子下支持部７５には、フィックス障子１０および一対の可動網戸１５，１５の下端部が装着されている。また、可動障子下支持部７６は、上記の可動障子上支持部４５に対峙しており、水平ベース片部８５と、下切欠き部８６と、下切欠き部８６を上向き開放部とする断面「Ｃ」字状のあり溝８７とを有している。そして、あり溝８７に補強材としての裏板１６２が投入され、裏板１６２に水平ベース片部８５の上側に着座させたスウィング障子１７の下ヒンジ部材１７４がねじ止めされている。
【００５９】
図１３および図１５に示すように、各縦枠２３は、第１複合建具１の縦枠２３と全く同一の断面形状を有している。この場合も、屋外側内向き片部９５および屋内側内向き片部９６は、下枠２２と中間枠２４との間にのみ形成され、中間枠２４と上枠２１との間では切り欠かれている。そして、下枠２２と中間枠２４との間において、各縦枠２３の屋外側内向き片部９５および屋内側内向き片部９６間には、各可動網戸１５の戸尻側が装着されている。また、中間枠２４と上枠２１との間において、各縦枠２３には上記の添え束２６が添設され、両添え束２６，２６の中間には一対の中束２７，２７が配設されている。そして、各添え束２６と各中束２７とに各固定網戸１４の両側端部が接触している。また、一対の中骨２５，２５は対向配置され、それぞれの屋内側片部１１５と屋外側片部１１３との間に、フィックス障子１０の両側端部が装着されている。
【００６０】
図１４および図１５に示すように、換気用扉体７は、屋外側の周縁部を、上枠２１、中間枠２４、一対の中束２７，２７に気密に接触しており、この状態から屋内側に開放されるようになっている。換気用扉体７は、遮光性材料である合成木質材で構成された扉本体１２１と、扉本体１２１の上端部に設けた２個のヒンジ１２２，１２２と、扉本体１２１の下端部に設けた左右一対のダンパー１２３，１２３と、扉本体１２１の下端部中央に設けたプッシュラッチ１２４とを備えている。この場合も、プッシュラッチ１２４を押釦すると、扉本体１２１がヒンジ１２２を中心に屋内側に開放される。
【００６１】
同様に、各点検用扉体８は、屋外側の周縁部を、上枠２１、中間枠２４、各添え束２６および各中束２７に気密に接触しており、この状態から屋内側に開放されるようになっている。点検用扉体８は、換気用扉体７の扉本体１２１と同様に合成木質材で構成された扉本体１２６と、扉本体１２６の上端部に設けた２個のヒンジ１２７，１２７と、扉本体１２６の下端部中央に設けたコインロック１２８とを備えている。
【００６２】
図１１、図１２および図１３に示すように、フィックス障子１０は、複層ガラス１３１で構成されており、上端部を中間枠２４の固定障子上支持部４４に、下端部を下枠２２の固定障子下支持部７５に、両側端部を左右の中骨２５，２５に、それぞれ気密に装着されている。各可動網戸１５は、第１複合建具１の可動網戸１５と同一の形態を有しており、固定障子上支持部４４、固定障子下支持部７５、各縦枠２３および各中骨２５に装着されている。
【００６３】
スウィング障子１７は、四周框組みした框体１７１と、これに組み込んだ複層ガラス１７２と、框体１７１の上端に設けた上ヒンジ部材１７３と、框体１７１の下端に設けた下ヒンジ部材１７４とで構成されている。框体１７１には、側方に突出するようにハンドル１７５が固定され（図１３参照）、ハンドル１７５を持って屋内側に引くことにより、スウィング障子１７は見付け方向に幾分スライドしながら開放する。そして、この場合も、スウィング障子１７における框体１７１のコーナー部分は、図９に示す構造を有している。可動ルーバー６は、第１複合建具１の可動ルーバー６と同一であるため、ここでは説明を省略する。
【００６４】
なお、スウィング障子１７における框体１７１と上記の上吊りスライディング障子９の框体１４１とは、全く同一の断面形状を有し且つ全く同一の接合形態を有している。このため、スウィング障子１７と上吊りスライディング障子９とを入れ替えても、デザイン的には同一となり、第１複合建具１と第２複合建具２との意匠上の統一を図ることができる。
【００６５】
このように構成された第２複合建具２では、第１複合建具１と同様に、可動ルーバー６を引き上げて開放状態とすることで、フィックス障子１０および一対のスウィング障子１７，１７による採光、遮音および気密等の機能が発揮され、一対のスウィング障子１７，１７の開放および一対の換気用扉体７，７の開放により、換気（通風）等の機能が発揮される。一方、可動ルーバー６を引き下げて閉塞状態とすることで、遮光、遮熱および防犯等の機能が発揮される。また、この状態で可動ルーバー６の各スラット２９を水平姿勢とし、一対のスウィング障子１７，１７の開放および一対の換気用扉体７，７の開放により、遮光・遮熱状態において換気機能を発揮させることができる。特に、各換気用扉体７は下開きで開放されるため、各スラット２９の湾曲形状と相俟って、外気（微風）を屋内に効率良く取り込むことができる。
【００６６】
一方、屋内側から見た第２複合建具２は、窓部５の上側に横並びに配設した一対の換気用扉体７，７および点検用扉体８が、収納部様に見えるため、屋内意匠が損なわれることがない。また、屋外側から見た第２複合建具２は、引上げ開放状態の可動ルーバー６が、換気用扉体７および点検用扉体８の正面に位置してこれらを隠蔽すると共に、可動ルーバー６自身が屋外側に露出して屋外意匠の一部として機能する。すなわち、可動ルーバー６を第２複合建具２の意匠の一部として積極的に活用することにより、可動ルーバー６を全く違和感のないものとすることができる。
【００６７】
なお、換気部の構成および窓部の構成は、適宜変更可能である。特に窓部においては、引違い障子、内開き障子等を適用すること、また障子自体に防音・断熱障子等を適用することも可能である。
【００６８】
【発明の効果】
以上のように、本発明の複合建具によれば、可動ルーバーの引下げ全開時において、換気部の換気性能を十分に発揮させることができると共に、引上げ全閉時における可動ルーバーを、換気部を隠すと共に外枠とは異なる意匠要素として積極的に活用することができる。すなわち、窓部、換気部および可動ルーバーを有機的に配置することにより、採光や換気等の機能を効率良く発揮させることができると共に、全体の意匠性を向上させることができる。
【図面の簡単な説明】
【図１】実施形態に係る第１複合建具および第２複合建具の屋外側の姿図である。
【図２】実施形態に係る第１複合建具および第２複合建具の屋内側の姿図である。
【図３】第１複合建具の下部におけるフィックス障子部分の縦断面図である。
【図４】第１複合建具の下部における上吊りスライディング障子部分の縦断面図である。
【図５】第１複合建具の窓部の横断面図である。
【図６】第１複合建具および第２複合建具の上部の拡大縦断面図である。
【図７】第１複合建具の換気部の屋内側から見た正面図である。
【図８】第１複合建具の換気部の横断面図である。
【図９】第１複合建具の上吊りスライディング障子における框体接合部の接合構造図である。
【図１０】第１複合建具の可動ルーバー廻りの縦断面図である。
【図１１】第２複合建具の下部におけるフィックス障子部分の縦断面図である。
【図１２】第２複合建具の下部におけるスウィング障子部分の縦断面図である。
【図１３】第２複合建具の窓部の横断面図である。
【図１４】第２複合建具の換気部の屋内側から見た正面図である。
【図１５】第２複合建具の換気部の横断面図である。
【符号の説明】
１  第１複合建具、２  第２複合建具、４  換気部、５  窓部、６  可動ルーバー、７  換気用扉体、８  点検用扉体、９  上吊りスライディング障子、１０フィックス障子、１２  スラット連結体、１７  スウィング障子、２１  上枠、２２  下枠、２３  縦枠、２４  中間枠、２９  スラット、１０２  ガイド溝、１２１  扉体本体、１２２  ヒンジ
【図１】
2004346583.tif 000003
【図２】
2004346583.tif 000004
【図３】
2004346583.tif 000005
【図４】
2004346583.tif 000006
【図５】
2004346583.tif 000007
【図６】
2004346583.tif 000008
【図７】
2004346583.tif 000009
【図８】
2004346583.tif 000010
【図９】
2004346583.tif 000011
【図１０】
2004346583.tif 000012
【図１１】
2004346583.tif 000013
【図１２】
2004346583.tif 000014
【図１３】
2004346583.tif 000015
【図１４】
2004346583.tif 000016
【図１５】
2004346583.tif 000017